(57)【要約】嵩高加工ストランドを収集するための方法及び装置が開示されている。嵩高加工ストランドを収集するための装置は、ガラス繊維の連続ストランド（８０）をウール状製品に膨張させるための嵩高加工器（２０）と、嵩高加工ストランドを収集するための容器（３０）と、容器の内部領域（７０）と容器の外部領域（７２）との間に差圧を確立する装置（５０）と、を含む。嵩高加工器は、圧縮空気（２２）及び連続ストランドが供給されるノズルを含む。圧縮空気はガラス繊維のストランドをノズルの中を前進させ、ストランドを膨張させ、フィラメントは押し広げられ、それによって、ストランドにウール状の外観を与える。差圧形成装置は、空気を引く真空装置（５８）と、空気が通過するスクリーン（５２）と、を含む。容器はスクリーン上に配置される。好ましい実施形態では、容器は上下クロージャー又はフラップ（３８，４０）を有する段ボール箱である。下フラップは折り返され、それによって底に開口（３２）を現わす。容器は差圧形成装置に連結され、容器開口はスクリーンと連通する。ノズルはストランドをノズル出口から容器の中に差し向けるように操作される。装置は、嵩高加工ストランドが容器の中に差し向けられるとき、嵩高加工ストランドの方向を変えるためのデフレクターアセンブリー（９０）を含むのがよい。
2004509240.tif 000002
【特許請求の範囲】
【請求項１】
ストランド（１２）を嵩高加工し、
嵩高加工されたストランド（８０）を内部領域（３６）を有する容器（３０）の中に差し向け、収集されたストランド（８２）の塊りを形成し、
容器の内部領域（７０）と容器の外部領域（７２）との間に差圧を確立し、差圧はストランドを嵩高加工形態に維持する、ストランドの収集方法。
【請求項２】
ストランドを嵩高加工する前記工程は、圧縮空気（２２）及びストランド（１２）をノズル（２０）の中に送り、ストランドをノズルで膨張させる、請求項１に記載の方法。
【請求項３】
ストランドを嵩高加工する前記工程は、ストランド（８０）を撚ってコイル形状にすることを含む、請求項１に記載の方法。
【請求項４】
前記ストランド（８０）は、ストランドが容器（３０）内にあるとき、ほぼストランドの長さに沿ってコイル形状を有する、請求項３に記載の方法。
【請求項５】
差圧を確立する前記工程は、ストランドが容器（３０）内に収集された後、ストランド（８０）のコイル形状を維持することを含む、請求項３に記載の方法。
【請求項６】
前記嵩高加工する前記工程は、ストランド（１２）をノズル（２０）で嵩高加工することを含み、嵩高加工ストランド（８０）を差し向ける前記工程は、嵩高加工ストランドを容器（３０）の中へノズルで差し向けることを含む、請求項２に記載の方法。
【請求項７】
ストランドを嵩高加工する前記工程はストランドに第１方向の速度を与えることを含み、嵩高加工ストランド（８０）を差し向ける前記工程は、ストランドが容器（３０）内に差し向けられるとき、ストランドを前記第１方向に対して所定角度で配置された第１表面（９２）から偏向させて、ストランドの移動方向を変えることを含む、請求項１に記載の方法。
【請求項８】
差圧を確立する前記工程は、容器の内部領域（７０）と外部領域（７２）を、空気流が内部領域と外部領域との間に生ずるように連通させることを含む、請求項１に記載の方法。
【請求項９】
内部領域（７０）を有する、ストランド（８０）を収集するための容器（３０）と、
前記容器の前記内部領域と外部領域との間に差圧を確立する手段と、
ストランドを嵩高加工し、且つストランドを前記容器の中に差し向ける嵩高加工器（２０）と、を有し、
ストランドが前記容器内に収集されるとき、ストランドが差圧によって嵩高加工形態に維持される、ストランドの嵩高加工装置。
【請求項１０】
差圧を確立するための前記手段は、前記内部領域（７０）と前記外部領域（７２）との間に空気流を確立するために、空気が通過するスクリーン（５２）を含む、請求項９に記載の装置。
【請求項１１】
前記容器（３０）は開口を有する底面（３２）を含み、前記容器は前記スクリーン（５２）上に配置され、前記開口は前記内部領域（７０）と外部領域（７２）を連通させる、請求項１０に記載の装置。
【請求項１２】
前記嵩高加工器はノズル（２０）であり、圧縮空気（２２）及びストランド（１２）は前記ノズルに供給され、ノズルは圧縮空気を利用してストランドを嵩高加工形態に膨張させる、請求項９に記載の装置。
【請求項１３】
前記ノズル（２０）は前記ストランドを膨張させて、コイル形状（８０）にする、請求項１２に記載の装置。
【請求項１４】
前記ストランド（８０）はほぼその長さに沿ってコイル形状を有し、前記差圧は、ストランドが前記容器（３０）内に収集された後、ストランドをコイル形状に維持する、請求項１３に記載の装置。
【請求項１５】
取り外し可能なクロージャー（３８）を有する容器（３０）と、
嵩高加工された、コイル形態で前記容器内に配置されるストランド（８０）と、を有し、
前記クロージャーが取り外されるとき、前記ストランドを前記容器から引き出すことができる、嵩高加工ストランドのパッケージ。
【請求項１６】
前記ストランド（８０）は前記容器（３０）内でほぼその長さに沿ってコイル形態を有する、請求項１５に記載のパッケージ。
【請求項１７】
前記ストランド（８０）は前記容器（３０）内に一連の層で配置される、請求項１６に記載のパッケージ。
【請求項１８】
前記容器（３０）は段ボール箱である、請求項１５に記載のパッケージ。
【発明の詳細な説明】
【０００１】
（発明の技術分野）
本発明は嵩高加工ストランドのバルク収集に関し、特に、嵩高加工ストランドのバルク収集の方法及び装置に関する。本発明は、車両の騒音放出を減らすのに使用される吸音器の生産に有用である。
【０００２】
（発明の背景）
本発明はストランドのバルク収集に関し、特に、嵩高加工ストランドのバルク収集に関する。ガラスフィラメントのストランドは、典型的には、溶融ガラスをブッシングの底プレートの複数のオリフィスから繊細化することによって形成される。フィラメントは、流れを細くするように、ガラスの流れに牽引力を付与することによって繊細化される。フィラメントは、個々のフィラメントに摩耗抵抗を与えるため潤滑性を与えるのに役立つサイズ剤又はバインダー材料でコーティングされる。ガラスフィラメントには、実質的に成形直後に、サイズ剤材料が塗布される。フィラメントは平行関係に収束されて、ストランドを形成する。
【０００３】
在来のフィラメント成形装置では、回転管の外面にフィラメントを巻き付けることによってガラスの流れを細くする。フィラメントのストランドは円筒形のパッケージとして管に巻き付けられる。回転管を備えた巻付け装置はフィラメントを引っ張り、そしてストランドを収集する。
【０００４】
ストランドを回転管のまわりに巻き付ける代わりに、ストランドを容器の中へ集めてもよい。ストランドは、典型的には、それが係合したホイール又は一対のベルトのような引張装置によって細くされるとき容器内に収集される。ストランドのバルク収集物は容易に輸送することができ、そして次の工程で使用することができる。
【０００５】
嵩高加工ストランドは、膨張され又は嵩高加工された連続ストランドである。ストランドの繊維はストランドに完全なウール状の外観を与えるように分離される。嵩高加工ストランドは良好な遮音及び断熱特性を有する。嵩高加工ストランドは、典型的には、吸音器に使用される。
【０００６】
吸音器は騒音放出を減らすのに使用され、例えば、車両用のマフラー等多数の用途を有する。在来の吸音器はしばしば、内部管とハウジングとの間に配置され、且つマフラーの中を流れるガスの騒音を低下させ又は減らす、繊維ガラスウールのような吸音材料を含む。
【０００７】
嵩高加工ストランドを備えた吸音器を製造するためのある方法は、吸音器にストランドを直接充填することである。Ｉｎｇｅｍａｎｓｓｏｎらの米国特許第４，５６９，４７１号（「Ｉｎｇｅｍａｎｓｓｏｎ」）は、所定長さの連続ガラス繊維をマフラーの外側シェルの中へ送り込み、繊維ストランドをシェルの内部で膨張させてウール状材料にする方法及び装置に関する。Ｉｎｇｅｍａｎｓｓｏｎの製造方法は、マフラーシェルに吸音材料を充填する場合、製造場所では高価な装置を利用する必要がある。さらに、あるマフラータイプは複雑な形状を有し、そして吸音材料がマフラーシェルの内部キャビティー全体に一様に満たすように吸音材料で容易に充填されない。
【０００８】
ストランドの二次的な使用を可能にする、嵩高加工ストランドをバルク形態で収集する安価な方法が必要である。嵩高加工ストランドが収集される容器から嵩高加工ストランドを引き出すことができるように嵩高加工ストランドを収集する安価な方法が必要である。
【０００９】
（発明の概要）
嵩高加工ストランドを収集するための開示した方法及び装置によって従来技術の欠点を解消する。嵩高加工ストランドを収集するための装置は、ガラス繊維の連続ストランドを嵩高加工された又はウール状製品に膨張させるための嵩高加工器と、嵩高加工ストランドを収集するための容器と、容器の内部領域と容器の外部領域との間に差圧を確立する装置と、を含む。
【００１０】
圧縮空気及び連続ストランドが供給されるノズルを含む。圧縮空気はガラス繊維のストランドをノズルの中で前進させ、ストランドを膨張させ、フィラメントは押し広げられ、それによって、ストランドに膨張形状又は形態を与える。
【００１１】
差圧確立装置は、空気を引く真空装置と、空気が通過するスクリーンと、を含む。容器はスクリーン上に配置される。好ましい実施形態では、容器は上下クロージャー又はフラップを有する段ボール箱である。下フラップは折り返され、それによって底に開口を現わす。容器は差圧形成装置に連結され、容器の開口はスクリーンと連通する。
【００１２】
ノズルはストランドをノズル出口から容器の中に差し向けるように操作される。装置は、嵩高加工ストランドが容器の中に差し向けられるように嵩高加工ストランドの方向を変えるためのデフレクターアセンブリーを含むのがよい。
【００１３】
（発明の詳細な説明及び好ましい実施形態）
本発明の原理を具体化する嵩高加工ストランドを収集するための方法及び装置を図１ないし図６に示す。開示された装置は、ストランドの引き続く繊細化を容易にするような方法でストランドをバルク形態で収集することによって嵩高加工ストランドの収集を改良する。嵩高加工ストランドを収集する開示された方法は、特にストランドが容器内に収集されるときストランドの嵩高加工を維持することによって、ストランド収集方法を改良する。
【００１４】
連続ストランドの在来のバルク収集では、ストランドは容器の中に差し向けられる。典型的には、ストランドは互いに重なる一連の層で容器内に収集される。所望な最終製品に応じて、ストランドの各層を特定なパターンで堆積させるのがよい。変形例として、ストランドを無秩序に堆積させてもよい。
【００１５】
吸音器のようなある用途では、連続ストランドを膨張させて、嵩高加工又はウール状形態にしてもよい。嵩高加工製品は、典型的には、ガラス繊維の連続ストランドを膨張させることによって作られる。圧縮空気が嵩高加工器を通過するとき、ストランドに圧縮空気を差し向けることによってストランドを膨張させ、ストランドのフィラメントを分離する。この概念をストランドを「嵩高加工する」という。
【００１６】
ストランドを膨張させるための装置の例がＮｉｌｓｓｏｎの米国特許第５，９７６，４５３号に開示されている。Ｎｉｌｓｓｏｎの装置はノズル内で圧縮空気を使用して、繊維ガラスストランドの繊維を分離し、繊維をノズル出口を通して、特定な容器の中へ差し向ける。ストランドがノズルの中を通過するとき、ノズル内の圧縮空気はストランドにわずかな撚りを与える。ストランドがノズル出口から放出されるとき、ストランドは、ストランドの嵩高加工物と呼ばれる漸次のコイル形状を有する。
【００１７】
嵩高加工ストランドを、次の工程に使用可能なバルク形態で収集してもよい。嵩高加工ストランドは、嵩高加工用ノズルを使用して、容器の中に差し向けられる。しかしながら、ストランドは嵩高加工されてしまったので、ストランドの異なる層の繊維は絡まり、容器からのストランドの繰り出しを困難にするループを形成するかもしれない。
【００１８】
容器内のこれらのループの頻度を減らすために、ストランドの嵩高加工は維持される。ストランドの嵩高加工を維持するある方法は、ストランドが容器内に収集されるとき、ストランドを適所に保持することである。
【００１９】
これらの一般原理を明らかにし、現時点で好適な実施形態でのこれらの原理の選択された実施例を以下に記載する。
【００２０】
本発明の原理を具体化するストランド収集方法及び装置を図１ないし図６に示す。図１に示すように、ストランド収集装置５は、ガラス供給部１０と、嵩高加工器２０と、を含む。嵩高加工器２０は、ガラス供給部１０からのストランド１２を膨張させて嵩高加工ストランド８０にする。
【００２１】
収集装置５は、嵩高加工ストランド８０が収集される容器３０を含む。嵩高加工器２０は、嵩高加工ストランド８０が容器内に一様に収集されるように作動される。図示した実施形態では、ノズル（２０で示す）は、オペレーターによって操作される。
【００２２】
嵩高加工器２０は、ノズルと、空気圧縮機（図示せず）からの圧縮空気供給部２２と、を含む。空気供給部２２は、ストランド１２をノズルの内部通路の中を前進させる。空気供給部２２は、ストランド１２の繊維を分離し、からませ、且つストランド１２の繊維に撚りを与え、嵩高加工ストランド８０はノズル２０の出口から連続膨張ストランドとして出る。空気がノズルから嵩高加工ストランド８０と一緒に放出される。
【００２３】
当業者は、容器の容積を含む多くの要因によって決定される特定長さのストランドの嵩高加工中、空気供給部２２がノズルに設けられることを認識する。ノズルは、当業者によって明らかなように、ガラス供給部からの嵩高加工ストランドを切断する切断装置（図示せず）を含む。
【００２４】
収集装置５は、容器３０内の低圧領域を確立するのに使用される差圧確立装置５０を含む。図１に示すように、装置５０は真空状の装置５８と、スクリーンを位置させたベース５４と、を含む。ベース５４の内部は、好ましくは、中空であり、ホース６０が真空装置５８とベース５４を連通させる。
【００２５】
装置５０及び容器３０の関係を図２に示す。容器３０は、内部領域３６と、以下に詳細に説明するように、開口３４を有する底面３２と、を有する。ストランド収集操作中、嵩高加工ストランド８０は、容器３０の中に差し向けられ、ストランド８０の塊り８２を形成する。
【００２６】
差圧形成装置５０は、空気を内部領域３６からスクリーン５２を通して、図２に示す矢印の方向に沿って容器３０の外部領域へ引く。装置５０は、容器３０内の内部低圧領域７０及び外部低圧領域７２を確立する。好ましくは、各低圧領域７０，７２の空気圧は、周囲７４の空気圧よりも小さい。
【００２７】
図示した実施形態では、外部低圧領域７２は、内部低圧領域７０よりも低い圧力である。その結果、空気はスクリーン５２を通して領域７０から領域７２へ流れる。内部領域７０と外部領域７２との間の空気流及び差圧は、ストランド８０の収集された塊り８２を、それが収集される位置に維持する。したがって、嵩高加工ストランド８０は、それが収集位置に保持されるので、嵩高加工形態を維持する。
【００２８】
当業者が認識するように、ストランド８０の塊り８２の深さが領域７０から領域７２への空気流に影響を及ぼすので、好ましくは、嵩高加工ストランド８０は容器３０内に一様な高さに収集される。ストランド８０の一様でない収集の結果、空気流が一様でなくなり、ストランドのいくらかが嵩高加工を失う可能性がある。
【００２９】
図示した実施形態では、オペレーターは、ストランドを容器３０内の最少の塊りの領域に差し向けて容器３０を一様に満たすようにノズルを配向する。
【００３０】
本発明の原理を具体化する嵩高加工ストランドの例を図３に示す。嵩高加工ストランド８０は、ノズル２０によってストランドに与えられるコイル形状を有する。ストランド８０のコイルの巻数及び長さは、ノズル２０内の圧縮空気の流れ及び圧力によって決定される。ノズル内の空気流又は空気の圧力が増すと、ストランドに与えられる撚りの量も増す。当業者が認識するように、撚りが増すことによりストランド８０のコイルが増す。
【００３１】
本発明の原理を具体化する容器の例を図４に示す。容器３０は内部領域３６を構成する側壁を含む。容器３０は、側壁の上下面にそれぞれ連結される上クロージャー又はフラップ３８及び下クロージャー又はフラップ４０を含む。ストランド収集工程中、下フラップ４０は上方に折り曲げられ、容器３０の下面３２に開口３４を作る。
【００３２】
差圧確立装置のベースの例示的な実施形態を図５に示す。装置５０はベース５４に位置決めされるスクリーンを含む。装置５０は、容器３０がスクリーン５２上に位置決めされるとき、容器３０の支持体をなすようにベース５４に連結された側壁５６を含む。ベース５４は、上述したように装置５０と連通するポート（図示せず）を備えた中空内部チャンバーを含む。
【００３３】
本発明の原理を具体化するストランド収集装置の変形実施形態を図６に示す。この実施形態では、ストランド収集装置５はデフレクターアセンブリーを含む。デフレクターアセンブリー９０は、ストランドが容器３０の中に差し向けられるとき、ストランドの方向を変える。
【００３４】
デフレクターアセンブリー９０は、デフレクター面９２を有するプレート９６と、支持体９４と、を含む。プレート９６は、図６に示すように水平平面に関してある角度で取り付けられる。
【００３５】
支持体９４は支持構造物（図示せず）に連結されるのがよい。支持構造物を容器３０に対して移動させるのがよい。例えば、支持構造物は容器３０を横切って移動させてもよい。変形例として、支持体９４を容器に固定してもよい。
【００３６】
嵩高加工ストランド８０がノズル２０から放出されるとき、その速度は、一般的には、特定の方向にある。ストランド８０が容器３０に入る方向は、ノズル２０を容器３０に関して移動させることによって変えることができる。当業者が認識するように、ノズル２０は、典型的には、嵩高加工ストランド８０が容器３０の中に連続的に偏向されるように、デフレクターアセンブリー９０上に取り付けられる。ストランド８０の速度方向は、ストランドが表面９２に接触した後に変わる。
【００３７】
図６では、嵩高加工ストランド８０は、始めはノズル２０から矢印「Ａ」の方向に沿って放出される。ストランド８０がプレート９６と衝突するとき、ストランド８０は矢印「Ｂ」の方向に沿って移動する。
【００３８】
今、ストランド収集装置の操作を説明する。最初に、ストランドを収集するための容器３０を準備する。上フラップ３８を開き、下フラップ４０を開いて上方に折り曲げる。ホース６０を真空装置５８とベース５４に連結する。スクリーン５２をベース５４の上面に位置決めする。
【００３９】
容器３０をスクリーン５２に位置決めし、容器開口３４をスクリーン５２と整合させる。弾性コードのようなストラップ（図示せず）を容器３０の下フラップ４０及び側壁５６のまわりに巻き付け、容器をベース５４上に保持する。
【００４０】
連続ストランド１２の端をノズル２０に通す。端を容器の上内面にテープで結合する。ストランド１２を容器３０の内面に沿って位置決めする。
【００４１】
装置５０を起動し、圧縮空気をノズル２０に供給する。空気供給部２２はストランド１２をノズル２０の中に差し向け、ストランド１２を膨張させる。ストランドをノズル２０から嵩高加工ストランド８０として放出する。
【００４２】
ノズル２０を保持するオペレーターは、嵩高加工ストランド８０を容器３０の中に差し向ける。好ましくは、オペレーターは容器３０にストランド８０を一様に充填するようにノズル２０をまわす。ストランド８０が収集されるとき、ストランドの塊り８２はスクリーン５２上に収集される。
【００４３】
ストランドの嵩高加工は容器３０が満たされるまで続く。好ましくは、装置５０が止められるとき、容器３０は収集ストランド８０の膨張に順応するために完全には満たされない。ストランド１２をノズル２０内で切断する。
【００４４】
ストランド１２の前端をノズル２０から引っ張り、ストランド１２の前端の近くで容器３０に結合する。嵩高加工ストランド８０のエンドユーザーは容器３０内でストランドの両端を探すことができる。
【００４５】
スクリーン５２を容器３０に結合して、容器３０の下面３２を一時的に密封する。上クロージャーを容器３０の上面に配置する。図示した実施形態では、オペレーターはフラップ３８を閉じて、容器３０の上面を密封する。
【００４６】
オペレーターは、容器３０の下面３２が上になるように容器３０を裏返す。スクリーン５２を取り外し、下クロージャーを容器３０の底面に配置する。この実施形態では、オペレーターはフラップ４０を閉じて、容器３０の底面を密封する。最後に、容器３０をそれが始めの位置にあるように裏返す。容器３０を次の工程で使用可能に顧客に送る。
【００４７】
好ましくは、容器はダンボール箱である。スクリーンは、好ましくは、スチールのような金属である。吸込み装置のベースは、容器を支持することができる、木又は金属を含む材料であるのがよい。スクリーンは、アルミニウムのような金属で作られる在来のスクリーンである。デフレクターアセンブリーのコンポーネントは、好ましくは、金属で作られる。
【００４８】
ストランドは、好ましくは、熱劣化に対して比較的高い抵抗を有するガラス繊維である。適したガラス繊維は、Ａガラス、ストランドＥガラス、Ｓガラス、Ｔガラス、ＥＣＲガラス、Ａｄｖａｎｔｅｘ（登録商標）（カルシウム−アルミニウム−シリケートガラス）、ＺｅｎＴｒｏｎ（登録商標）ガラス、又は嵩高加工プロセスに耐える適当な長さを備えた他の組成物を含む。
【００４９】
本発明の原理を具体化する例示的な嵩高加工ストランドについて以下の寸法の範囲が与えられる。
容器内の嵩高加工ストランドの密度＝５〜１０ｌｂｓ／ｆｔ３（８０〜１６０ｋｇ／ｍ３）
嵩高加工ストランドのコイルの長さ＝０．２５〜２４インチ（０．５〜６１センチ）
コイルの数＝インチ当り１０（センチ当り４）
【００５０】
当業者は、本発明の原理と一貫する上述した特定な実施形態に多くの変更が可能であることを認識する。
【００５１】
例えば、ノズルの移動を自動制御してもよい。ストランドを一様な分布を確保するために、ノズルを、容器より上で往復運動する機構に取り付けてもよい。さらに、ノズルをデフレクターアセンブリーに取り付けてもよい。
【００５２】
容器は４つの側面の段ボール箱に限定されない。容器は嵩高加工された繊維ガラスを保持することができるどんな適当な材料でもよい。さらに、容器は円形であってもよいし、４つより多い又は４つより少ない側面を有してもよい。
【００５３】
容器のクロージャー装置はフラップ以外の構造体であってもよい。例えば、クロージャー装置は、容器の上下に配置され、引き続いてこれに連結されるふたであってもよい。
【００５４】
デフレクターアセンブリーは容器に対して可動であるのがよい。変形例として、デフレクターアセンブリーは容器に対して固定されてもよい。デフレクターアセンブリーは、デフレクタープレートのまわりに円形ハウジングを含んでもよい。デフレクターアセンブリーは容器の幅にわたって移動し、移動するとき振動してもよい。
【００５５】
ストランド収集装置は、収集工程中、容器内の嵩高加工ストランドの高さを検知するセンサーを含むのがよい。
【００５６】
ストランド収集装置は容器を自動充填し、オペレーターを不要にしてもよい。この装置では、容器内のストランドの量は、ガラス供給部から得られたストランドの充填時間や量に基づいて決定されるのがよい。
【００５７】
容器の内部の低圧領域は、真空以外の機構によって確立されてもよい。例えば、ファンを使用して空気を内部領域から出してもよい。
【図面の簡単な説明】
【図１】
本発明の原理を具体化するストランド収集装置の概略的な側面図である。
【図２】
本発明の原理を具体化するストランド収集工程を示す断面図である。
【図３】
本発明の原理を具体化する嵩高加工ストランドの概略図である。
【図４】
本発明の原理を具体化する容器の斜視図である。
【図５】
本発明の原理を具体化する差圧形成装置のベースの斜視図である。
【図６】
本発明の原理を具体化する変形ストランド収集工程を示す概略断面図である。
【図２】
2004509240.tif 000003
【国際公開パンフレット】
2004509240.tif 000004
2004509240.tif 000005
2004509240.tif 000006
2004509240.tif 000007
2004509240.tif 000008
2004509240.tif 000009
2004509240.tif 000010
2004509240.tif 000011
2004509240.tif 000012
2004509240.tif 000013
2004509240.tif 000014
2004509240.tif 000015
2004509240.tif 000016
2004509240.tif 000017
2004509240.tif 000018
2004509240.tif 000019
【国際公開パンフレット（コレクトバージョン）】
2004509240.tif 000020
2004509240.tif 000021
【国際調査報告】
2004509240.tif 000022
2004509240.tif 000023
2004509240.tif 000024